(57)【特許請求の範囲】
【請求項１】
密閉容器内に電動要素と、該電動要素の回転軸により駆動される回転圧縮機構部とを収納して成るロータリコンプレッサにおいて、
前記回転圧縮機構部は、冷媒が内部で圧縮される圧縮室を有するシリンダと、該シリンダ内で圧縮された冷媒が吐出される吐出室を有して前記圧縮室を閉塞する閉塞部材と、該閉塞部材に形成された凹所の上面開口を閉塞して前記吐出室を構成するカバーとを有し、
前記閉塞部材に構成され、前記吐出室に吐出された冷媒中のオイルを遠心分離するオイル分離手段を備え、
該オイル分離手段は、
前記閉塞部材に形成され、中心軸が上下方向とされた円筒状を成し、前記カバーにて上面が閉塞される空間部と、
前記オイル分離手段の上流側の前記吐出室に連通して前記空間部に冷媒を導入するための冷媒導入部と、
前記空間部の中心軸上に位置して当該空間部内に上から進入した一方の下端が当該空間部内において開口し、該一方の下端から前記カバー内を通過して上昇し、当該カバーの上側を経て再びカバー内に入り、他方の下端が前記オイル分離手段の下流側の前記吐出室内に開口する配管から成る冷媒導出部とを備え、
前記冷媒導入部から前記空間部内に流入した冷媒は、当該空間部の内周面と前記冷媒導出部の配管との間に構成された間隔を旋回しながら降下し、前記冷媒導出部の一方の下端の開口に流入することを特徴とするロータリコンプレッサ。
【請求項２】
前記オイル分離手段の上流側の前記吐出室に配置された吐出弁と、
前記密閉容器に接続された冷媒吐出管と、
前記閉塞部材に形成され、前記オイル分離手段の下流側の前記吐出室と前記冷媒吐出管とを連通して、前記吐出室に吐出された冷媒を、前記密閉容器内を経ること無く外部に吐出するための吐出通路とを備え、
前記オイル分離手段は、前記吐出弁と前記吐出通路の間に介在するかたちで構成されていることを特徴とする請求項１に記載のロータリコンプレッサ。
【請求項３】
前記回転圧縮機構部は、第１及び第２の回転圧縮要素を備え、前記第１の回転圧縮要素で圧縮された冷媒を前記密閉容器内に吐出し、該密閉容器内に吐出された冷媒を前記第２の回転圧縮要素を構成する前記シリンダで圧縮し、前記オイル分離手段の上流側の前記吐出室に吐出することを特徴とする請求項２に記載のロータリコンプレッサ。
【請求項４】
前記オイル分離手段は、
前記空間部の下端に連通したオイル流出部を備え、
前記空間部は前記オイル流出部に向かって徐々に細くなる形状を呈し、
前記冷媒から分離したオイルは前記オイル流出部に流下することを特徴とする請求項１乃至請求項３のうちの何れかに記載のロータリコンプレッサ。
【請求項５】
複数の前記オイル分離手段を前記閉塞部材に構成し、各オイル分離手段を直列に接続したことを特徴とする請求項１乃至請求項４のうちの何れかに記載のロータリコンプレッサ。
【請求項６】
複数の前記オイル分離手段を前記閉塞部材に構成し、各オイル分離手段に分かれて冷媒が流れるようにしたことを特徴とする請求項１乃至請求項４のうちの何れかに記載のロータリコンプレッサ。
【発明の詳細な説明】
【技術分野】
【０００１】
本発明は、密閉容器内に電動要素と、この電動要素により駆動される回転圧縮機構部とを収納して成るロータリコンプレッサに関するものである。
【背景技術】
【０００２】
従来この種ロータリコンプレッサ、例えば、第１及び第２の回転圧縮要素を備えた内部中間圧型多段（２段）圧縮式ロータリコンプレッサでは、密閉容器内に電動要素とこの電動要素にて駆動される回転圧縮機構部とにより構成されている。そして、第１の回転圧縮要素の吸込ポートから冷媒ガスがシリンダの低圧室側に吸入され、ローラとベーンの動作により圧縮されて中間圧となり、シリンダの高圧室側より吐出ポート、吐出消音室を経て密閉容器内に吐出される。この密閉容器内の中間圧の冷媒ガスは第２の回転圧縮要素の吸込ポートからシリンダの低圧室側に吸入され、ローラとベーンの動作により２段目の圧縮が行なわれて高温高圧の冷媒ガスとなり、高圧室側より吐出ポート、吐出消音室を経てコンプレッサの外部に吐出される構成とされている。
【０００３】
また、密閉容器内の底部はオイル溜めとされ、回転軸の一端（下端）に取り付けられたオイルポンプ（給油手段）によりオイル溜めからオイルが吸い上げられて、回転圧縮機構部の摺動部等に供給されて潤滑とシールを行っている。しかしながら、上述の如く第１の回転圧縮要素で圧縮された冷媒ガス中に混入したオイルは、密閉容器内に吐出され、当該密閉容器内の空間を移動する過程で冷媒ガスからある程度分離されるが、第２の回転圧縮要素で圧縮された冷媒ガス中に混入したオイルは、冷媒ガスと共にそのままコンプレッサの外部に吐出されていた。
【０００４】
このため、オイル溜めのオイルが不足し、摺動性能やシール性が低下すると云う問題が生じていた。また、コンプレッサ外部に吐出されたオイルにより、冷媒回路内の冷媒循環に支障をきたすなど、冷媒回路に悪影響を及ぼす恐れもあった。一方、密閉容器の外部の配管にオイルセパレータを接続して吐出冷媒ガスからオイルを分離し、コンプレッサに戻す工夫も成されているが、設置スペースが拡大するなどの問題が生じる。これらは、密閉容器が最終圧力となる内部高圧（単段）のロータリコンプレッサでも同様に発生する問題であるが、内部中間圧型に限らず、密閉容器内が最終的な吐出圧力とはならないロータリコンプレッサにおいては極めて重大な問題となる。
【０００５】
そこで、第２の回転圧縮要素から吐出された冷媒ガス中のオイルを遠心力を用いて分離するオイル分離機構を回転圧縮機構部と密閉容器内面との間に配設し、密閉容器外に吐出される冷媒からオイルを分離し、分離したオイルは密閉容器内底部のオイル溜めに流下させるようにしていた（例えば、特許文献１参照）。
【先行技術文献】
【特許文献】
【０００６】
【特許文献１】特開２００５−１０５９８６号公報
【特許文献２】特開２００５−１０５９８５号公報
【発明の概要】
【発明が解決しようとする課題】
【０００７】
しかしながら、従来の如く回転圧縮機構部と密閉容器との間にオイル分離機構を設ける場合、その分少なくとも密閉容器の径方向の寸法を拡大しなければならなくなる。また、コンプレッサを構成する部品も著しく増加することになるので、コストの高騰も引き起こす問題があった。
【０００８】
そこで回転圧縮機構部と密閉容器との間では無く、第２の回転圧縮要素の吐出消音室を構成するために支持部材の凹所を閉塞するカバーに遠心力を利用したオイル分離機構を設ける案もあるが、本来一定の強度のみ確保されていれば良いカバーの厚みが増大してしまい、今度は密閉容器の軸方向の寸法拡大が問題となると共に、横型では容易であるものの、縦型のロータリコンプレッサでは吐出消音室からカバー内のオイル分離機構に冷媒を流す経路が複雑化してしまう問題もあった（例えば、上記特許文献２参照）。本発明は、係る従来の技術的課題を解決するために成されたものであり、遠心分離により密閉容器外部へのオイルの吐出を低減する際の寸法の拡大を解消し、コストの高騰も抑制できるロータリコンプレッサを提供することが目的である。
【課題を解決するための手段】
【０００９】
本発明のロータリコンプレッサは、密閉容器内に電動要素と、この電動要素の回転軸により駆動される回転圧縮機構部とを収納して成るものであって、回転圧縮機構部は、冷媒が内部で圧縮される圧縮室を有するシリンダと、このシリンダ内で圧縮された冷媒が吐出される吐出室を有して圧縮室を閉塞する閉塞部材と、この閉塞部材に形成された凹所の上面開口を閉塞して吐出室を構成するカバーとを有し、閉塞部材に構成され、吐出室に吐出された冷媒中のオイルを遠心分離するオイル分離手段を備え、このオイル分離手段は、閉塞部材に形成され、中心軸が上下方向とされた円筒状を成し、カバーにて上面が閉塞される空間部と、オイル分離手段の上流側の吐出室に連通して空間部に冷媒を導入するための冷媒導入部と、空間部の中心軸上に位置して当該空間部内に上から進入した一方の下端が当該空間部内において開口し、この一方の下端からカバー内を通過して上昇し、当該カバーの上側を経て再びカバー内に入り、他方の下端がオイル分離手段の下流側の吐出室内に開口する配管から成る冷媒導出部とを備え、冷媒導入部から空間部内に流入した冷媒は、当該空間部の内周面と冷媒導出部の配管との間に構成された間隔を旋回しながら降下し、冷媒導出部の一方の下端の開口に流入することを特徴とする。
【００１０】
本発明によれば、密閉容器内に電動要素と、この電動要素の回転軸により駆動される回転圧縮機構部とを収納して成るロータリコンプレッサにおいて、回転圧縮機構部は、冷媒が内部で圧縮される圧縮室を有するシリンダと、このシリンダ内で圧縮された冷媒が吐出される吐出室を有して圧縮室を閉塞する閉塞部材とを有し、この閉塞部材に構成され、吐出室に吐出された冷媒中のオイルを遠心分離するオイル分離手段を備えているので、シリンダ内で圧縮され、吐出室に吐出された冷媒に混入したオイルをオイル分離手段により効果的に遠心分離し、ロータリコンプレッサ外部へ吐出されるオイル量を著しく低減することができるようになる。
【００１１】
この場合、オイル分離手段は閉塞部材に構成されているので、密閉容器の径方向の寸法拡大を防止することが可能となると共に、吐出室を構成するために本来一定の厚さ寸法を有する閉塞部材にオイル分離手段を構成することにより、閉塞部材の厚さ寸法を拡大することによる密閉容器の軸方向の寸法拡大も防止することが可能となり、以て遠心力を用いたオイル分離手段を設けることによるロータリコンプレッサの寸法拡大を効果的に解消することができるようになる。
【００１２】
また、吐出室が構成された閉塞部材にオイル分離手段を構成することで、吐出室とオイル分離の構造を閉塞部材に集約することが可能となり、生産性も向上すると共に、吐出室からオイル分離手段までの経路も短縮・簡素化される。そして、オイル分離手段のための格別な機構を回転圧縮機構部と密閉容器との間に設ける必要もなくなるので、部品点数の増加も抑制され、これらにより生産コスト及び部品コストの高騰も最小限に抑えられる効果があるものである。
【００１３】
特に、オイル分離手段は、閉塞部材に形成され、中心軸が上下方向とされた円筒状を成し、カバーにて上面が閉塞される空間部と、オイル分離手段の上流側の吐出室に連通して空間部に冷媒を導入するための冷媒導入部と、空間部の中心軸上に位置して当該空間部内に上から進入した一方の下端が当該空間部内において開口し、この一方の下端からカバー内を通過して上昇し、当該カバーの上側を経て再びカバー内に入り、他方の下端がオイル分離手段の下流側の吐出室内に開口する配管から成る冷媒導出部とを備えているので、閉塞部材に形成された凹所の上面開口を閉塞して吐出室を構成するカバーにてオイル分離手段の空間部の上面を閉塞して当該空間部を構成することができ、オイル分離手段の空間部の上面を、格別な蓋等で閉塞する場合に比して、部品点数の削減を図ることが可能となる。
【００１４】
そして、冷媒導入部から空間部内に流入した冷媒は、当該空間部の内周面と冷媒導出部の配管との間に構成された間隔を旋回しながら降下し、冷媒導出部の一方の下端の開口に流入するようにしたので、オイル分離手段の空間部内で冷媒を旋回させ、遠心力によりオイルを効率的に分離させることができるようになる。
【００１５】
更に、冷媒導出部の配管は、一方の下端からカバー内を通過して上昇し、カバーの上側を経て再びカバー内に入り、他方の下端がオイル分離手段の下流側の吐出室内に開口するので、空間部におけるオイル分離を円滑に行い、オイルが分離された冷媒を吐出室に円滑に導出しながら、カバーにて支障無く空間部を閉塞することが可能となるものである。
【００１６】
上記のロータリコンプレッサにおいて、オイル分離手段の上流側の吐出室に配置された吐出弁と、密閉容器に接続された冷媒吐出管と、閉塞部材に形成され、オイル分離手段の下流側の吐出室と冷媒吐出管とを連通して、吐出室に吐出された冷媒を、密閉容器内を経ること無く外部に吐出するための吐出通路とを備え、オイル分離手段は、吐出弁と吐出通路の間に介在するかたちで構成されていることを特徴とする。
【００１７】
上記のロータリコンプレッサにおいて、回転圧縮機構部は、第１及び第２の回転圧縮要素を備え、第１の回転圧縮要素で圧縮された冷媒を密閉容器内に吐出し、この密閉容器内に吐出された冷媒を第２の回転圧縮要素を構成するシリンダで圧縮し、オイル分離手段の上流側の吐出室に吐出することを特徴とする。
【００１８】
また、この発明によれば、上記に加えてオイル分離手段の上流側の吐出室に配置された吐出弁と、密閉容器に接続された冷媒吐出管と、閉塞部材に形成され、オイル分離手段の下流側の吐出室と冷媒吐出管とを連通して、吐出室に吐出された冷媒を、密閉容器内を経ること無く外部に吐出するための吐出通路とを備え、オイル分離手段を、吐出弁と吐出通路の間に介在するかたちで構成したので、例えば、回転圧縮機構部を第１及び第２の回転圧縮要素から構成し、第１の回転圧縮要素で圧縮された冷媒を密閉容器内に吐出し、この密閉容器内に吐出された冷媒を第２の回転圧縮要素を構成するシリンダで圧縮し、オイル分離手段の上流側の吐出室に吐出するロータリコンプレッサの如く、吐出室から密閉容器内を経ること無く、即ち、密閉容器内でオイルが分離されること無く、冷媒が外部に吐出されるロータリコンプレッサのオイルの流出をオイル分離手段により効果的に抑制することが可能となる。
【００１９】
この場合、オイル分離手段は吐出弁と吐出通路の間に介在するかたちで設けられているので、吐出弁から吐出室とオイル分離手段を経て吐出通路に至る冷媒の流れを円滑化し、且つ、経路も最短距離とすることができる。
【００２０】
上記のロータリコンプレッサにおいて、オイル分離手段は、空間部の下端に連通したオイル流出部を備え、空間部はオイル流出部に向かって徐々に細くなる形状を呈し、冷媒から分離したオイルはオイル流出部に流下することを特徴とする。
【００２１】
この発明によれば、上記各発明に加えてオイル分離手段は、空間部の下端に連通したオイル流出部を備え、空間部はオイル流出部に向かって徐々に細くなる形状を呈し、冷媒から分離したオイルはオイル流出部に流下するようにしたので、オイル分離手段の空間部内で分離したオイルをオイル流出部を介して円滑に密閉容器内等に戻すことが可能となる。
【００２２】
上記のロータリコンプレッサにおいて複数のオイル分離手段を閉塞部材に構成し、各オイル分離手段を直列に接続したことを特徴とする。
【００２３】
このように複数のオイル分離手段を閉塞部材に構成し、各オイル分離手段を直列に接続すれば、より効果的に冷媒中に混入したオイルを分離し、密閉容器外部へのオイルの流出量を低減することができるようになる。
【００２４】
上記のロータリコンプレッサにおいて複数のオイル分離手段を閉塞部材に構成し、各オイル分離手段に分かれて冷媒が流れるようにしたことを特徴とする。
【００２５】
このように複数のオイル分離手段を閉塞部材に構成し、各オイル分離手段に分かれて冷媒が流れるようにすれば、流路抵抗による圧損の増大を抑制しながら、より効率的に冷媒中に混入したオイルを分離し、密閉容器外部へのオイルの流出量を低減することが可能となるものである。
【発明の効果】
【００２６】
本発明によれば、遠心分離により密閉容器外部へのオイルの吐出を低減する際の寸法の拡大を解消し、コストの高騰も抑制できるロータリコンプレッサを提供することができる。
【図面の簡単な説明】
【００２７】
【図１】本発明を適用した実施例のロータリコンプレッサの概略縦断面図である。
【図２】図１のロータリコンプレッサの回転圧縮機構部の概略縦断面図である（実施例１）。
【図３】図１のロータリコンプレッサの回転圧縮機構部の上部カバー及びガスケットを除く平面図である。
【図４】図３のオイル分離機構部分の拡大図である。
【図５】本発明の他の実施例のロータリコンプレッサの回転圧縮機構部の上部カバーを除く平面図である（実施例２）。
【図６】図５のオイル分離機構部分の拡大図である。
【図７】本発明のもう一つの他の実施例のロータリコンプレッサの回転圧縮機構部の上部カバーを除く平面図である（実施例３）。
【図８】図７のオイル分離機構部分の拡大図である。
【発明を実施するための形態】
【００２８】
以下に図面に基づき本発明の実施形態を詳述する。
【実施例１】
【００２９】
図１は本発明の実施例のロータリコンプレッサ１０の概略縦断面図、図２は回転圧縮機構部１８の概略縦断面図、図３は回転圧縮機構部１８の上部カバー６６及びガスケット６５を除く平面図、図４はその要部の拡大図をそれぞれ示している。尚、各図における部材の位置関係は、説明を行い易くするために実際の配置と変えて示しており、実際の位置関係とは異なるものもある。
【００３０】
各図において、１０は本発明の一実施例としての内部中間圧型多段（２段）圧縮式の縦型ロータリコンプレッサで、このロータリコンプレッサ１０は、鋼板からなる縦型円筒状の密閉容器１２と、この密閉容器１２の内部空間の上側に配置収納された電動要素（駆動要素）１４及びこの電動要素１４の下側に配置され、電動要素１４の回転軸１６により駆動される第１の回転圧縮要素３２（１段目）及びその上側に位置した第２の回転圧縮要素３４（２段目）から成る回転圧縮機構部１８にて構成されている。
【００３１】
密閉容器１２は、底部をオイル溜め１３とし、電動要素１４と回転圧縮機構部１８を収納する容器本体１２Ａと、この容器本体１２Ａの上部開口を閉塞する略椀状のエンドキャップ（蓋体）１２Ｂとで構成され、且つ、このエンドキャップ１２Ｂの上面中心には電動要素１４に電力を供給するためのターミナル（配線を省略）２０が取り付けられている。
【００３２】
電動要素１４は、密閉容器１２の上部空間の内周面に沿って環状に取り付けられたステータ２２と、このステータ２２の内側に若干の隙間を設けて挿入配置されたロータ２４とからなる。このロータ２４は中心を通り鉛直方向（密閉容器１２の軸方向）に延びる前記回転軸１６に固定されている。
【００３３】
ステータ２２は、ドーナッツ状の電磁鋼板を積層した積層体２６と、この積層体２６の歯部に直巻き（集中巻き）方式により巻装されたステータコイル２８を有している。また、ロータ２４もステータ２２と同様に電磁鋼板の積層体３０で形成され、この積層体３０内に永久磁石ＭＧを挿入して構成されている。
【００３４】
前記回転圧縮機構部１８は、第１及び第２の回転圧縮要素３２、３４をそれぞれ構成し、冷媒が内部で圧縮される圧縮室を有する上下シリンダ３８、４０と、これら上下シリンダ３８、４０内にそれぞれ設けられた上下偏心部４２、４４に嵌合されて偏心回転する上下ローラ４６、４８と、上下シリンダ３８、４０及びローラ４６、４８の間に介在して第１及び第２の回転圧縮要素３２、３４を仕切る中間仕切板３６と、ローラ４６、４８に当接して上下シリンダ３８、４０内の圧縮室をそれぞれ低圧室側と高圧室側に区画するベーン５０、５２と、上シリンダ３８の圧縮室の上側開口面及び下シリンダ４０の圧縮室の下側開口面を閉塞して回転軸１６の軸受け５４Ａ、５６Ａを有した支持部材である閉塞部材としての上部支持部材（上部閉塞部材）５４及び下部支持部材（下部閉塞部材）５６にて構成されている。
【００３５】
上部支持部材５４及び下部支持部材５６には、図示しない吸込ポートにて上下シリンダ３８、４０の内部とそれぞれ連通する吸込通路６０（図３）、６１と、上部支持部材５４の上面及び下部支持部材５６の下面の一部をそれぞれ切削等により凹陥させて凹所を構成し、各凹所の上面開口及び下面開口を上部カバー６６、下部カバー６８にてそれぞれ閉塞することにより形成される吐出室としての一定の容積を有した吐出消音室６２、６４とが設けられている。即ち、上部支持部材５４及び下部支持部材５６は、各吐出消音室６２、６４を凹陥形成するために一定の厚さ寸法を有している。尚、前記軸受け５４Ａ、５６Ａは前記上部カバー６６、下部カバー６８に形成しても良い。
【００３６】
この場合、上部支持部材５４と上部カバー６６の間には、シール用のガスケット６５が介設されている（図示しないが下部支持部材５６と下部カバー６８間にも同様に介設されている）。また、下部カバー６８は周辺部を主ボルト１２９・・・によって下から下部支持部材５６に固定されている。この主ボルト１２９・・・の先端は上部支持部材５４に螺合する。
【００３７】
尚、第１の回転圧縮要素３２の吐出消音室６４と密閉容器１２内とは連通路にて連通されている。この連通路は下部支持部材５６、上部支持部材５４、上部カバー６６、上下シリンダ３８、４０や中間仕切板３６を貫通する図示しない孔である。この場合、連通路の上端には中間吐出管１２１が立設されており、この中間吐出管１２１から密閉容器１２内に中間圧の冷媒が吐出される。
【００３８】
また、電動要素１４は密閉容器１２内の上部カバー６６の上方に所定間隔を存して設けられている。この上部カバー６６は周辺部が主ボルト７８・・・により、上から上部支持部材５４に固定されている。この主ボルト７８・・・の先端は下部支持部材５６に螺合する。
【００３９】
一方、回転軸１６内には軸中心に鉛直方向のオイル孔８０が形成され、このオイル孔８０は下端のオイルポンプ８４に連通している。回転軸１６の回転によりオイルポンプ８４はオイル溜め１３内のオイルをオイル孔８０に吸い上げる。回転軸１６には更にこのオイル孔８０に連通する横方向の給油孔８２（上下偏心部４２、４４やそれらの上下に複数形成されている）が形成されており、ここから回転圧縮機構部１８の軸受け５４Ａ、５６Ａその他の摺動部等にオイルが供給される構成とされている。
【００４０】
そして、この場合の冷媒としては二酸化炭素（ＣＯ２）が使用され、ロータリコンプレッサ１０の最終圧力は極めて高い圧力となる。また、潤滑油としてのオイルは、例えば鉱物油（ミネラルオイル）、ＰＡＧ（ポリアルキレングリコール）、アルキルベンゼン油、エーテル油、エステル油等既存のオイルが使用される。
【００４１】
密閉容器１２の容器本体１２Ａの側面には、上部支持部材５４と下部支持部材５６の吸込通路６０、６１、上部カバー６６の上側（電動要素１４の下端に略対応する位置）に対応する位置に、スリーブ１４１、１４２、１４３及び１４４がそれぞれ溶接固定されている。スリーブ１４１と１４２は上下に隣接すると共に、スリーブ１４３はスリーブ１４４と略９０度ずれた位置にある。
【００４２】
そして、スリーブ１４１内には上シリンダ３８に冷媒ガスを導入するための冷媒導入管９２の一端が挿入接続され、この冷媒導入管９２の一端は上シリンダ３８の吸込通路６０に連通される。この冷媒導入管９２は密閉容器１２の上側を通過してスリーブ１４４に至り、他端はスリーブ１４４内に挿入接続されて密閉容器１２内に連通する。
【００４３】
スリーブ１４２内には下シリンダ４０に冷媒ガスを導入するための冷媒導入管９４の一端が挿入接続され、この冷媒導入管９４の一端は下シリンダ４０の吸込通路６１に連通される。また、スリーブ１４３内には冷媒吐出管９６が挿入接続され、上部支持部材５４に設けられた吐出通路７０（図３）に連通されている。
【００４４】
そして、第２の回転圧縮要素３４の上部支持部材５４には更に、第２の回転圧縮要素３４で圧縮され、吐出された冷媒中のオイルを分離するための本発明のオイル分離手段としてのオイル分離機構９０が構成されている。
【００４５】
ここで、上記オイル分離機構９０について説明する。上部支持部材５４の軸受け５４Ａの周囲には、図３に示されるように凹所が形成されており、前述した如くこの凹所の上面開口がガスケット６５を介して上部カバー６６により閉塞されることで、凹所内が第２の回転圧縮要素３４の吐出消音室６２とされる。この吐出消音室６２内には上シリンダ３８の内部に連通する図示しない吐出ポートを閉塞する吐出弁７２が配置されている。この吐出弁７２は上シリンダ３８の高圧室が規定の吐出圧力まで上昇した場合に吐出ポートを開くものである。
【００４６】
また、前記吐出通路７０は吐出弁７２と軸受け５４Ａを挟んで略反対側に形成され、吐出消音室６２に連通している。そして、吐出消音室６２は軸受け５４Ａを挟んで略反対側の位置の上部支持部材５４に形成された仕切壁５４Ｂ、５４Ｃによって吐出弁７２側（６２Ａ）と吐出通路７０側（６２Ｂ）とに仕切られており、一方の仕切壁５４Ｃ内に本発明のオイル分離機構９０が構成されている。
【００４７】
このオイル分離機構９０は、上部支持部材５４の上面を切削等により凹陥させた凹所から成り、中心軸が上下方向とされた円筒状の空間部９１と、この空間部９１の軸受け５４Ａとは反対側の上縁部に開口形成された冷媒導入部９５と、空間部９１の中心軸上に位置して上から空間部９１内に進入し、下端がこの空間部９１内において下方に向けて開口した冷媒導出部９７と、空間部９１の下端に連通して形成されたオイル流出部としての細孔９８とから構成されている。
【００４８】
前記空間部９１の下部は、下端の細孔９８に向かって内径が徐々に細くなる漏斗形状（逆円錐形状）を呈しており、細孔９８は空間部９１の下端から上部支持部材５４内を密閉容器１２方向に延在し、当該密閉容器１２内に開口して連通している。冷媒導入部９５は導入通路９９を介して吐出弁７２側（オイル分離機構９０より冷媒の流れにおいて上流側）の吐出消音室６２（図３、図４に６２Ａで示す）に連通しており、該吐出消音室６２内の冷媒は、冷媒導入部９５より空間部９１の中心軸を中心とする円の接線方向から当該空間部９１内に導入され、空間部９１の内面に沿って旋回するよう構成とされている。そして、これら空間部９１と冷媒導入部９５の上面は上部カバー６６にて閉塞される。
【００４９】
前記冷媒導出部９７は、周囲の空間部９１の内面との間に所定の間隔を存しており、当該空間部９１内に開口した下端（一方の下端）から上部カバー６６内を通過して上昇し、上部カバー６６の上側を経て再び上部カバー６６内に入り、他方の下端が吐出通路７０側（オイル分離機構９０より冷媒の流れにおいて下流側）の吐出消音室６２（図３、図４に６２Ｂで示す）内に開口している。尚、実際には、この冷媒導出部９７は上部カバー６６内に形成された二本の貫通孔１００、１０１と、上部カバー６６の上側において両貫通孔１００、１０１を接続する略逆Ｕ字状の配管１０２と、空間部９１内に進入して下端が前記一方の下端となる配管１０３とで構成されている。これにより、オイル分離機構９０は吐出弁７２と吐出通路７０との間に介在するかたちとなる。
【００５０】
以上の構成で次に動作を説明する。ターミナル２０および図示されない配線を介して電動要素１４のステータコイル２８に通電されると、電動要素１４が起動してロータ２４が回転する。この回転により回転軸１６と一体に設けた上下偏心部４２、４４に嵌合された上下ローラ４６、４８が上下シリンダ３８、４０内を前述の如く偏心回転する。
【００５１】
これにより、冷媒導入管９４及び下部支持部材５６に形成された吸込通路６１を経由して図示しない吸込ポートから下シリンダ４０の低圧室側に吸入された低圧の冷媒ガスは、ローラ４８とベーン５２の動作により圧縮されて中間圧となり、下シリンダ４０の高圧室側より図示しない吐出ポート、下部支持部材５６に形成された吐出消音室６４から図示しない前記連通路を経て中間吐出管１２１から密閉容器１２内に吐出される。これによって、密閉容器１２内は中間圧となる。尚、吐出消音室６４は冷媒の流れる流路が広くなったり狭くなったりするように形成されているため、消音効果が得られる。
【００５２】
そして、密閉容器１２内の中間圧の冷媒ガスは、スリーブ１４４から出て冷媒導入管９２及び上部支持部材５４に形成された吸込通路５８を経由して吸込ポート６０から上シリンダ３８の低圧室側に吸入される。吸入された中間圧の冷媒ガスは、ローラ４６とベーン５０の動作により２段目の圧縮が行なわれて高温高圧（最終圧力）の冷媒ガスとなり、高圧室側から図示しない前記吐出ポートを通り、吐出弁７２から上部支持部材５４に形成された吐出消音室６２（６２Ａ）に吐出される。吐出消音室６２は冷媒の流れる流路が広くなったり狭くなったりするように形成されているため、消音効果が得られる。吐出消音室６２に吐出された冷媒は、図３、図４に矢印で示す如く導入通路９９を経て冷媒導入部９５から空間部９１内に吐出される。
【００５３】
このとき、冷媒ガス及び当該冷媒ガス中に混入したオイルは、空間部９１の内面に沿って吐出され、吐出された冷媒ガス及びオイルは、吐出時の勢いにより冷媒導出部９７の配管１０３とその外側の空間部９１の内周面との間に構成された間隔（隙間）を螺旋状に旋回しながら空間部９１を降下して行く（図２）。
【００５４】
このときの旋回による遠心力で冷媒ガス中に混入したオイルが冷媒ガスから分離され、空間部９１の内面等に付着し、当該内面を伝わって空間部９１の下端に連通する細孔９８に至り、図２中破線矢印の如くそこを通って密閉容器１２の下部のオイル溜め１３に流下する。
【００５５】
一方、オイルが分離された冷媒ガスは、空間部９１の先細り形状に案内されて中心に集まり、上昇気流となって冷媒導出部９７の配管１０３の下端開口から内部に流入する。冷媒導出部９７内に流入した冷媒ガスは、各図に実線矢印で示す如く配管１０３、貫通孔１００、配管１０２、貫通孔１０１を順次通過して吐出通路７０側の吐出消音室６２（６２Ｂ）内に入り、該吐出消音室６２内を経て吐出通路７０に至る。そして、冷媒吐出管９６に流出し、外部に吐出されるので、これにより、吐出消音室６２に吐出された冷媒ガスは、密閉容器１２内を経ること無く外部に吐出されることになる。
【００５６】
このように、第２の回転圧縮要素３４で圧縮された冷媒ガス中に混入したオイルをオイル分離機構９０にて遠心分離することで、冷媒ガス中に混入したオイルを効果的に分離することができる。これにより、コンプレッサ１０から吐出されるオイル吐出量を著しく低減することができるので、コンプレッサ１０内がオイル不足となる不都合や冷媒回路内に悪影響を及ぼす不都合も未然に回避することができるようになる。
【００５７】
この場合、オイル分離機構９０は上部支持部材５４に構成されているので、密閉容器１２の径方向の寸法拡大を防止しなくて済む。また、吐出消音室６２を構成するために本来一定の厚さ寸法を有する上部支持部材５４にオイル分離機構９０を構成することにより、上部支持部材５４の厚さ寸法を拡大する必要も無く、それによる密閉容器１２の軸方向の寸法拡大も防止することができるようになる。これらにより、遠心力を用いたオイル分離機構９０を設けることによるロータリコンプレッサ１０の寸法拡大を効果的に解消することができるようになる。
【００５８】
また、吐出消音室６２が構成された上部支持部材５４にオイル分離機構９０を構成しているので、消音とオイル分離のための構造が上部支持部材５４に集約される。即ち、吐出消音室６２のための凹所と空間部９１のための凹所、及び、細孔９８を切削加工等により上部支持部材５４に形成すれば済むことになるので、回転圧縮機構部１８を構成する他の部材にオイル分離機構９０を構成する場合に比して生産性が著しく向上する。更に、吐出消音室６２からオイル分離機構９０までの経路も最短距離となり、且つ、その形状も簡素化することができるようになる効果もある。
【００５９】
そして、基本的にはオイル分離機構９０のための格別な機構を回転圧縮機構部１８と密閉容器１２との間に設ける必要もなくなるので、部品点数の増加も抑制され、これらにより生産コスト及び部品コストの高騰も最小限に抑えられる。
【００６０】
また、オイル分離機構９０を、吐出弁７２と吐出通路７０の間に介在するかたちで構成しているので、実施例の吐出消音室６２から密閉容器１２内を経ること無く、即ち、密閉容器１２内でオイルが分離されること無く、冷媒ガスが外部に吐出されるロータリコンプレッサ１０のオイルの流出をオイル分離機構９０により効果的に抑制することできる。また、吐出弁７２から吐出消音室６２とオイル分離機構９０を経て吐出通路７０に至る冷媒ガスの流れも円滑となり、経路も最短距離となる。
【００６１】
また、オイル分離機構９０の空間部９１は細孔９８に向かって徐々に細くなる形状を呈しており、冷媒導入部９５から空間部９１内に流入した冷媒ガスは、当該空間部９１の内周面に沿って旋回しながら降下し、冷媒導出部９７の開口に流入すると共に、冷媒ガスから分離したオイルは細孔９８に流下するので、オイル分離機構９０の空間部９１内で冷媒ガスを旋回させ、遠心力によりオイルを効率的に分離させ、冷媒ガスは冷媒導出部９７に流入させ、分離したオイルは細孔９８を介して円滑に密閉容器１２内のオイル溜め１３に戻すことができる。
【実施例２】
【００６２】
次に、図５及び図６は本発明の他の実施例のロータリコンプレッサ１０の回転圧縮機構部１８の平面図（上部カバー６６及びガスケット６５を除く）とその拡大図を示している。この場合、オイル分離機構９０は上部支持部材５４の仕切壁５４Ｃに二箇所（９０Ａ、９０Ｂ）構成されており、第１のオイル分離機構９０Ａの冷媒導入部９５に連通する導入通路９９が吐出弁７２側の吐出消音室６２（６２Ａ）に連通し、オイル分離機構９０Ａの冷媒導出部９７が第２のオイル分離機構９０Ｂの導入通路９９に連通され、この第２のオイル分離機構９０Ａの冷媒導出部９７が吐出通路７０側の吐出消音室６２（６２Ｂ）に連通されている。
【００６３】
即ち、この実施例では二つのオイル分離機構９０（９０Ａ、９０Ｂ）が上部支持部材５４に構成され、それらが直列に接続されたかたちとされている。これにより、吐出弁７２から吐出消音室６２（６２Ａ）内に吐出された冷媒ガスは先ず第１のオイル分離機構９０（９０Ａ）にてオイルが遠心分離された後、更に第２のオイル分離機構９０（９０Ｂ）にて残りのオイルが遠心分離され、最終的に吐出通路７０に至ることになる。
【００６４】
係る構成によれば、極めて効果的に冷媒ガス中に混入したオイルを分離し、密閉容器外部へのオイルの流出量を著しく低減することができるようになる。尚、この実施例ではオイル分離機構９０を二箇所形成してそれぞれを直列に接続したが、それに限らず、三箇所以上構成してそれぞれを直列に接続しても良い。
【実施例３】
【００６５】
次に、図７及び図８は本発明のもう一つの他の実施例のロータリコンプレッサ１０の回転圧縮機構部１８の平面図（上部カバー６６及びガスケット６５を除く）とその拡大図を示している。この場合、オイル分離機構９０は上部支持部材５４の仕切壁５４Ｂと仕切壁５４Ｃにそれぞれ一箇所ずつ、合計二箇所（９０Ａ、９０Ｂ）構成されており、第１及び第２のオイル分離機構９０Ａ、９０Ｂの冷媒導入部９５に連通する導入通路９９がそれぞれ吐出弁７２側の吐出消音室６２（６２Ａ）に連通し、第１及び第２のオイル分離機構９０Ａの冷媒導出部９７がそれぞれ吐出通路７０側の吐出消音室６２（６２Ｂ）に連通されている。
【００６６】
即ち、この実施例では二つのオイル分離機構９０（９０Ａ、９０Ｂ）が上部支持部材５４に構成され、それらに分かれて冷媒ガスが流れるかたち（並列接続）とされている。これにより、吐出弁７２から吐出消音室６２（６２Ａ）内に吐出された冷媒ガスは二手に分かれ、一方は第１のオイル分離機構９０（９０Ａ）にてオイルが遠心分離された後、他方は第２のオイル分離機構９０（９０Ｂ）にてオイルが遠心分離された後、吐出通路７０側の吐出消音室６２（６２Ｂ）で合流し、最終的に吐出通路７０に至ることになる。
【００６７】
係る構成によれば、上記実施例のように直列に接続した場合よりも流路抵抗による圧損の増大を抑制しながら、一箇所構成する場合より効率的に冷媒中に混入したオイルを分離し、密閉容器１２外部へのオイルの流出量を低減することが可能となる。尚、この実施例ではオイル分離機構９０を二箇所構成してそれぞれに冷媒ガスが分かれて流れるようにしたが、それに限らず、三箇所以上構成して各オイル分離機構９０に冷媒を分流させても良い。
【００６８】
ここで、上記各実施例では所謂内部中間圧型多段（２段）圧縮式の縦型ロータリコンプレッサに本発明を適用したが、それに限らず、所謂単段、若しくは、三段以上の多段圧縮式のロータリコンプレッサに適用しても良く、特に、吐出消音室に吐出された冷媒が、密閉容器内を経ること無く外部に吐出されるものに適用すれば、本発明は極めて有効なものとなる。
【００６９】
また、各実施例ではオイル分離機構９０にて分離されたオイルを細孔９８にて密閉容器１２内のオイル溜め１３に戻したが、それに限らず、回転圧縮機構部１８の摺動部等に戻すものしても構わない。
【符号の説明】
【００７０】
１０  ロータリコンプレッサ
１２  密閉容器
１４  電動要素
１６  回転軸
１８  回転圧縮機構部
３２、３４  回転圧縮要素
３６  中間仕切板
３８、４０  上下シリンダ
５４  上部支持部材（閉塞部材）
５６  下部支持部材
６２  吐出消音室（吐出室）
６５  ガスケット
６６  上部カバー
７０  吐出通路
７２  吐出弁
９０  オイル分離機構（オイル分離手段）
９１  空間部
９５  冷媒導入部
９７  冷媒導出部
９８  細孔（オイル流出部）
【図１】
0005874010.tif 000002
【図２】
0005874010.tif 000003
【図３】
0005874010.tif 000004
【図４】
0005874010.tif 000005
【図５】
0005874010.tif 000006
【図６】
0005874010.tif 000007
【図７】
0005874010.tif 000008
【図８】
0005874010.tif 000009